(57)【要約】  【課題】  ウエストバッグやリュックサックの形態として持ち運ぶことができる折畳椅子において、椅子の状態で使用者の体に固定することで、椅子に座った状態から手を使わずに移動できるようにすることを課題とする。  【解決手段】  使用者の腰部に固定するための固定ベルトを有するウエストバッグ本体と、前記ウエストバッグ本体の一部に形成される座板と、前記座板をほぼ水平に支持することが可能で、折り畳んで前記ウエストバッグ本体の一部を形成することができる脚部とを有する折畳椅子において、前記固定ベルトを、前記脚部により前記座板を水平に支持した状態において、着座した使用者の体に固定できるように形成する。【選択図】  図５
2007054370.tif 000002
【特許請求の範囲】
【請求項１】
使用者の腰部に固定するための固定ベルトを有するウエストバック本体と、
前記ウエストバック本体の一部に形成される座板と、
前記座板をほぼ水平に支持することが可能で、折り畳んで前記ウエストバック本体内に収納することができる脚部とを有し、
前記固定ベルトは、前記脚部により前記座板をほぼ水平に支持した状態において、着座した使用者の体に固定できるように形成される折畳椅子。
【請求項２】
前記ウエストバック本体には、前記脚部以外を収納する部分と区分けされた荷物を収納する部分が設けられる請求項１に記載の折畳椅子。
【請求項３】
前記座板は、少なくとも内部に硬質な部分を有するものであって、前記ウエストバック本体を使用者の腰部に固定した際に使用者の体に主表面が当接するように前記ウエストバック本体に固定される請求項１又は２に記載の折畳椅子。
【請求項４】
使用者の背中に固定するための肩掛けベルトを有するリュックサック本体と、
前記リュックサック本体の一部に形成される座板と、
前記座板をほぼ水平に支持することが可能で、折り畳んで前記リュックサック本体内に収納することができる脚部とを有し、
前記肩掛けベルトは、前記脚部により前記座板を水平に支持した状態において、着座した使用者の体に固定できるように形成される折畳椅子。
【請求項５】
前記リュックサック本体には、前記脚部以外を収納する部分と区分けされた荷物を収納する部分が設けられる請求項４に記載の折畳椅子。
【発明の詳細な説明】
【技術分野】
【０００１】
本発明は折り畳んでバッグとして持ち運ぶことができる椅子に関する。
【背景技術】
【０００２】
従来、野外などで椅子を利用するために、下記特許文献に示されるように鞄として持ち運べる形態を有する折畳椅子が種々提案されている。これらは、持ち運び時には鞄の形態をとり、使用の際には椅子に変形するものである。
【特許文献１】実公昭５７−１２９３０号公報
【特許文献２】実開昭６１−２９６３２号公報
【特許文献３】実開昭６１−１９４３４７号公報
【特許文献４】特開平７−２３１８０４号公報
【特許文献５】特開２００４−２４３０８９号公報
【発明の開示】
【発明が解決しようとする課題】
【０００３】
ところで、このような折畳椅子をテーマパークやイベントなどの行列に長時間並ぶ際に使用する場合がある。しかし、このような行列は少しずつ進行するので、その度に椅子を持って移動しなければならなず、特に荷物を持っている場合には不便である。一方、バッグには、ウエストバッグやリュックサックのような体に密着させて運搬するものがあり、このようなバッグを折畳椅子に変形させる場合には、これらの鞄の固定手段を用いて折畳椅子を体に固定させるようにすることも可能であると考えられる。
本発明は、このような考えに基づいて、ウエストバッグやリュックサックの形態として持ち運ぶことができる折畳椅子において、椅子の状態で使用者の体に固定することで、椅子に座った状態から手を使わずに移動できるようにすることを課題とする。
【課題を解決するための手段】
【０００４】
上記課題を解決するために、本発明は次のような構成を有する。
請求項１に記載の発明は、使用者の腰部に固定するための固定ベルトを有するウエストバッグ本体と、前記ウエストバッグ本体の一部に形成される座板と、前記座板をほぼ水平に支持することが可能で、折り畳んで前記ウエストバッグ本体の一部を形成することができる脚部とを有し、前記固定ベルトは、前記脚部により前記座板を水平に支持した状態において、着座した使用者の体に固定できるように形成される折畳椅子である。なお、ウエストバックは大きさを問わず、一般にウエストポーチと称される大きさのものも含む。また、本願において、座板は強度もしくは構造を有するものであれば厚さや材質は問わず、例えば上記特許文献３に示すような薄いシート状のものに張力をかけて薄い板状体とするようなものも含まれる。また、この座板には、着座時に人が着座できる形態となるものであれば、折畳可能なものも含まれる。
請求項２に記載の発明は、前記折畳椅子において、前記ウエストバッグ本体には、前記脚部以外を収納する部分と区分けされた荷物を収納する部分が設けられるものである。
請求項３に記載の発明は、前記折畳椅子において、前記座板は少なくとも内部に硬質な部分を有するものであって、前記ウエストバッグ本体をバックとして使用者の腰部に固定した際に使用者の体に主表面が当接するように前記ウエストバッグ本体に固定されるものである。
【０００５】
請求項４に記載の発明は、使用者の背中に固定するための肩掛けベルトを有するリュックサック本体と、前記リュックサック本体の一部に形成される座板と、前記座板をほぼ水平に支持することが可能で、折り畳んで前記リュックサック本体の一部を形成することができる脚部とを有し、前記肩掛けベルトは、前記脚部により前記座板を水平に支持した状態において、着座した使用者の体に固定できるように形成される折畳椅子である。
請求項５に記載の発明は、請求項４に記載の折畳椅子において、前記リュックサック本体には、前記脚部以外を収納する部分と区分けされた荷物を収納する部分が設けられるものである。
【発明の効果】
【０００６】
請求項１に記載の発明は、運搬の際にはウエストバッグとして腰に固定ベルトにより固定して使用し、椅子として使用する際には脚部により座板を水平に支持させて着座し、さらに固定ベルトで体に固定する。これにより、長時間、行列に並ぶ際に使用すると、椅子自体が体に固定されているので、行列が移動して使用者も移動しなければならない場合でも、使用者は立ち上がることで、手を使うことなく椅子を持ち上げることができ、そのまま歩いて移動すれば椅子も移動させることができ、移動した場所でしゃがむことで再び椅子に座ることができる。そして、体に椅子を固定するためにウエストバッグ本来の構成要素である固定ベルトを使用するので、構成が簡易になり重量も軽くすることができる。
請求項２に記載の発明は、前記ウエストバッグ本体には、前記脚部以外を収納する部分と区分けされた荷物を収納する部分が設けられるので、ウエストバッグとして椅子以外に必要な荷物を運搬することができる。
請求項３に記載の発明は、前記ウエストバッグ本体をバッグとして使用者の腰部に固定した際に体に当接する面に硬質な部分を内部にもつ座板の主表面が当接するので、ウエストバックが安定し、また、バッグの内容物が鋭利なものであっても座板によって使用者を守ることができる。
【０００７】
請求項４に記載の発明は、運搬の際にはリュックサックとして背中に肩掛けベルトにより固定して使用し、椅子として使用する際には脚部により座板を水平に支持させて着座し、さらに肩掛けベルトで体に固定する。これにより、長時間、行列に並ぶ際に使用すると、椅子自体が体に固定されているので、行列が移動して使用者も移動しなければならない場合でも、使用者は立ち上がることで、手を使うことなく椅子を持ち上げることができ、そのまま歩いて移動すれば椅子も移動させることができ、移動した場所でしゃがむことで再び椅子に座ることができる。そして、体に椅子を固定するためにリュックサック本来の構成要素である肩掛けベルトを使用するので、構成が簡易になり重量も軽くすることができる。
請求項５に記載の発明は、前記リュックサック本体には、前記脚部以外を収納する部分と区分けされた荷物を収納する部分が設けられるので、リュックサックとして椅子以外に必要な荷物を運搬することができる。
【発明を実施するための最良の形態】
【０００８】
以下、本発明の実施形態について、図面を参照しながら説明する。
（実施形態１）
図１に本実施形態１に係る折畳椅子Ｘの折り畳んだ状態における正面図を示し、図２に折畳椅子Ｘの折り畳んだ状態における平面図を示す。折畳椅子Ｘは折り畳んだ状態においてウエストバックの形態をとるものであり、正面視上辺と下辺がやや外方へ脹らんだ長方形状をした箱体からなるウエストバック本体１０と、ウエストバック本体１０の左右に取り付けられる固定ベルト２１、２２とを有する。固定ベルト２１、２２は、合成樹脂性であり、適当な間隔で屈曲可能な節が形成されている。固定ベルト２１、２２の両端部は、互いに係合する係合部材２１ａ、２２ａが設けられている。ウエストバック本体１０は、合成樹脂性で、内部に２箇所の収納空間１１、１２を有し、それぞれの収納空間に対応してメカニカルファスナーにより開閉する開口部１１ａ、１２ａが設けられている。ウエストバック本体１０の背面には、ウエストバック本体１０の正面形状とほぼ同じ形状を有する板状体からなる座板３０が固定されている。座板３０は、合成樹脂の板からなる心材と心材の周りを覆う合成樹脂のシートと心材とシートの間に封入されるスポンジ体とから形成されている。
【０００９】
ウエストバック本体１１の一の収納空間１１には、椅子の脚となる折畳三脚４０が収められている。図３に折畳椅子Ｘの折り畳んだ状態における収納空間１１内部を透視した正面図を示し、図４に同平面図を示す。折畳三脚４０は、雲台部４１に伸縮自在に形成される脚体４２を、３本回動自在に固定したものである。また、雲台部４１は、座板３０の背面に間接的に固定されるレール４３上を摺動するとともに、適宜固定できるスライド体４４に固定されている。
【００１０】
次に、このような構成を有する折畳椅子Ｘの使用方法について説明する。まず、持ち運ぶ際には、ウエストバックとして、座板３０を腰の背面部分に当て、固定ベルト２１、２２を腰に回して係合部材２１ａ、２２ａを係合させて使用者の体にウエストバック本体１０を固定し、この状態で運搬する。この際、必要に応じて折畳三脚４０を収納していない収納空間１２に適宜荷物をいれることができる。そして、椅子として使用する場合には、係合部材２１ａ、２２ａの係合を解いて固定ベルト２１、２２を腰からはずし、折畳三脚４０を収納する収納空間１１の開口部１１ａを開く、そして、雲台４１を回動させて、折畳三脚４０の脚体４２を座面に対してほぼ垂直に回動させ、さらに３本の脚体４２を伸ばして均等に開く。この状態で雲台４１と脚体４２とを固定し、さらに、雲台４１を固定するスライド体４４をレール４３上でスライドさせて雲台４１の中心が座板３０の中心とほぼ一致する位置で固定する。そして、３本の脚体４２を座板３０が上になるように立てると図５に示すような状態となる。この状態で通常の椅子として使用することができる。さらに、使用者は座板３０に着座した後に、座板３０の左右に延出している固定ベルト２１、２２を両足の太腿に巻きつけて係合部材２１ａ、２２ａを係合させると、折畳椅子Ｘを椅子の状態として使用者の体に固定することができる。この状態で、使用者が立ち上がって歩くことで、折畳椅子Ｘは持ち上げられ運搬されることになるので、行列などに並ぶ際に使用すると、手を使わずに椅子を運びながら移動することができる。
【００１１】
（実施形態２）
図６に本実施形態２に係る折畳椅子Ｙの折り畳んだ状態における正面図を示し、図７に折畳椅子Ｙの折り畳んだ状態における底面図を示す。折畳椅子Ｙは折り畳んだ状態においてウエストバックの形態をとるものであり、ほぼ直方体状の箱体からなるウエストバック本体５０と、ウエストバック本体５０の左右に取り付けられる固定ベルト６１、６２とを有する。固定ベルト６１、６２は、合成樹脂性であり、適当な間隔で屈曲可能な節が形成されている。固定ベルト６１、６２の両端部は、互いに係合する係合部材６１ａ、６２ａが設けられている。また、固定ベルト６１、６２のウエストバック本体５０に連結する基端部には安定性を保つとともに体に対する装着感を高めるための三角形状のシート体からなるベルト連結部６１ｂ、６２ｂが設けられている。ウエストバック本体５０は、合成樹脂性で、内部に２つの収納空間５１、５２を有している。第１の収納空間５１はウエストバック本体５０の背面側に形成され、両側面から底面に至るメカニカルファスナーにより開閉する開口部５１ａが設けられている。第２の収納空間５２はウエストバック本体５０の表面側に形成され、平面にメカニカルファスナーにより形成される図示しない開口部が設けられている。さらに、表面にメカニカルファスナーにより開閉する開口部５３ａを有する小型の収納ポケット５３が取り付けられている。ウエストバック本体５０の背面には、ウエストバック本体５０の正面形状とほぼ同じ形状を有する板状体からなる座板７０が固定されている。座板７０は、合成樹脂の板からなる心材と心材の周りを覆う合成樹脂のシートと心材とシートの間に封入されるスポンジ体とから形成されている。
【００１２】
ウエストバック本体５０の収納空間５１には、椅子の脚となる折畳パイプ脚８０が２本、収められている。図８に折畳椅子Ｙの折り畳んだ状態において、開口部５１ａを開けて収納空間５１内部を開放した正面図を示す。折畳パイプ脚８０は組み立てると、図９（ａ）に示すようにＵ字上に形成される。折畳パイプ脚８０は、５箇所の切断部８１があり、切断部を分離すると、切断部同の間には図９（ｂ）で示すように、ゴム紐８１ａが通っている。図１０（ａ）（ｂ）に切断部の拡大図を示す。パイプの切断部で相対するパイプの端部同士は互いに係合固定できるように形成されている。また、ゴム紐８１ａは、両端がパイプ内部で固定されており、図９（ａ）の状態では収縮して内部に納まり、図９（ｂ）のようにパイプ同士の係合をはずしてパイプの端面同士を離す伸張する。このようにゴム紐８１ａが伸張するとパイプの分断部においてパイプを折り曲げることができる。なお、ゴム紐８１ａは伸張した状態においても各パイプ間を引き戻して接合するほどの張力を有しない。この折畳パイプ脚８０は収納空間５１において、座板７０の裏面に端部が所定角度をもって間接的に固定されている。
【００１３】
次に、このような構成を有する折畳椅子Ｙの使用方法について説明する。まず、持ち運ぶ際には、ウエストバックとして、座板７０を腰の背面部分に当て、固定ベルト６１、６２を腰に回して係合部材６１ａ、６２ａを係合させて使用者の体にウエストバック本体５０を固定し、この状態で運搬する。この際、必要に応じて収納空間５２、収納ポケット５３に適宜荷物をいれることができる。そして、椅子として使用する場合には、係合部材６１ａ、６２ａの係合を解いて固定ベルト６１、６２を腰からはずし、収納空間５１の開口部５１ａを開く、そして、２本の折畳パイプ脚を組み立てて座板３０が上になるように立てると図１１の側面図に示すような状態となる。この状態で通常の椅子として使用することができる。さらに、使用者は座板７０に着座した後に、座板７０の左右に延出している固定ベルト６１、６２を両足の太腿に巻きつけて係合部材６１ａ、６２ａを係合させると、折畳椅子Ｙを椅子の状態として使用者の体に固定することができる。この状態で、使用者が立ち上がって歩くことで、折畳椅子Ｙは持ち上げられ運搬されることになるので、やはり、行列などに並ぶ際に使用すると、手を使わずに椅子を運びながら移動することができ、利便性が高い。
なお、ここでは折畳パイプ脚８０を２本用いているが、折畳パイプ脚８０を一本だけとして、図１２に示すように一本で支持するような形態の椅子とすることも可能である。このようにすれば折畳パイプ脚８０が占める収納空間が減り、重量も低減することができる。
【００１４】
（実施形態３）
図１３に実施形態３に係る折畳椅子Ｚの折り畳んだ状態における正面図を示し、図１４に折畳椅子Ｚの折り畳んだ状態における背面図を示し、図１５に折畳椅子Ｚの折り畳んだ状態における側面図を示す。折畳椅子Ｙは折り畳んだ状態においてリュックサックの形態をとるものであり、ほぼ直方体状の箱体からなるリュックサック本体１００と、リュックサック本体１００の背面上方から側面下方に至る２本の肩掛けベルト１１１、１１２とを有する。肩掛けベルト１１１、１１２は、合成樹脂の平板な帯体であり、途中に長さを調整する調整具１１１ｃ、１１２ｃが設けられている。リュックサック本体１００は、帆布製で上方が開放されており、図１５に示すように上方に向ってやや幅が狭くなるように形成されている。リュックサック本体１００の開放された上面には平らなシート体による蓋体１０５が設けられており、蓋体１０５を正面側で着脱可能に固定する蓋体固定部１０５ａによりリュックサック本体１００内部を開閉することができるようになっている。なお、閉じた蓋体１０５の上部には持ち運べるように取っ手１０５ｂが設けられている。リュックサック本体１００内部は２つの収納空間に仕切られている。第一の収納空間１０１はリュックサック本体本来の収納空間であり、第二の収納空間１０２は座板および脚部を収納するものである。第二の収納空間１０２は、リュックサック本体１００の背面側下方に形成される。図１３、図１４に示すように両側面から背面上方部分にかけてメカニカルファスナーが設けられており、このメカニカルファスナーによる開口部１０２ａに囲まれる部分が第２の収納空間１０２を構成する。また、リュックサック本体１００の表面側にメカニカルファスナーにより開閉する開口部１０３ａを有する小型の収納ポケット１０３が取り付けられている。
【００１５】
図１６に折畳椅子Ｚの折り畳んだ状態における側面図を示す。図に示すように、第二の収納空間１０２内部には、座板１２０と、座板１０２の背面に固定される２本の折畳パイプ脚１３０が納められている。座板１０２は収納空間１０２の正面視の大きさとほぼ同じ正方形状であり、合成樹脂の板からなる心材と心材の周りを覆う合成樹脂のシートと心材とシートの間に封入されるスポンジ体とから形成されている。折畳パイプ脚１３０は実施形態２に係る折畳椅子Ｙで用いられる折畳パイプ脚８０と同じものである。座板１０２の背面側の図１６における上端部は第二の収納空間１０２を構成するリュックサック本体１００と図示しない帯部材により連結されている。
【００１６】
次に、このような構成を有する折畳椅子Ｚの使用方法について説明する。まず、持ち運ぶ際には、リュックサックとして、肩掛けベルト１１１、１１２を肩に掛けて持ち運ぶ。なお、適宜、調整具１１１ｃ、１１２ｃにより肩掛けベルト１１１、１１２の長さを使用者に合わせて調整する。また、必要に応じて第一の収納空間１０１や収納ポケット１０３に適宜荷物をいれることができる。そして、椅子として使用する場合には、一端、肩掛けベルト１１１、１１２を肩からはずして、リュックサック本体１００を下ろし、第２の収納空間１０２の開口部１０２ａを開いて、図１７に示すように収納空間１０２を展開する。そして、さらに、図１８に示すように、収納空間１０２から座板１２０とこれに固定される折畳パイプ脚１３０とを倒し、２本の折畳パイプ脚１３０を組み立てて座板１２０が上になるように立てると図１９の側面図に示すような状態となる。この状態で通常の椅子として使用することができる。さらに、使用者は座板１２０に着座した後に、肩掛けベルト１１１、１１２を両肩に掛けると、折畳椅子Ｚを椅子の状態として使用者の体に固定することができる。使用者は、この状態で、立ち上がって歩くことで、折畳椅子Ｚは持ち上げられ運搬されることになるので、やはり、行列などに並ぶ際に使用すると、手を使わずに椅子を運びながら移動することができ、利便性が高い。
【００１７】
なお、上記各実施形態に示した折り畳み椅子の材質などは適宜変更でき、座板の位置や脚部の収納位置なども適宜変更できる。
【図面の簡単な説明】
【００１８】
【図１】本実施形態１に係る折畳椅子の折り畳んだ状態における正面図である。
【図２】本実施形態１に係る折畳椅子の折り畳んだ状態における平面図である。
【図３】実施形態１に係る折畳椅子の折り畳んだ状態における収納空間内部を透視した正面図である。
【図４】実施形態１に係る折畳椅子の折り畳んだ状態における収納空間内部を透視した平面図である。
【図５】実施形態１に係る折畳椅子を組み立てた状態における収納空間内部を透視した正面図である。
【図６】本実施形態２に係る折畳椅子の折り畳んだ状態における正面図である。
【図７】実施形態２に係る折畳椅子の折り畳んだ状態における底面図である。
【図８】実施形態２に係る折畳椅子の折り畳んだ状態において収納空間内部を開放した正面図である。
【図９】（ａ）は折畳パイプ脚の正面図であり、（ｂ）は折畳パイプ脚の切断部を分離した状態を示す正面図である。
【図１０】（ａ）は折畳パイプ脚の切断部近傍の拡大正面図であり、（ｂ）は折畳パイプ脚の切断部を分離した状態を示す切断部近傍の拡大正面図である。
【図１１】実施形態２に係る折畳椅子の組み立てた状態における側面図である。
【図１２】実施形態２に係る折畳椅子の変形例を示す側面図である。
【図１３】実施形態３に係る折畳椅子の折り畳んだ状態における正面図である。
【図１４】実施形態３に係る折畳椅子の折り畳んだ状態における背面図である。
【図１５】実施形態３に係る折畳椅子の折り畳んだ状態における側面図である。
【図１６】実施形態３に係る折畳椅子の折り畳んだ状態における第二の収納空間内部を透視した側面図である。
【図１７】実施形態３に係る折畳椅子の第二の収納空間を展開した状態における第二の収納空間内部を透視した側面図である。
【図１８】実施形態３に係る折畳椅子の座板および折畳パイプ脚を展開状態における側面図である。
【図１９】実施形態３に係る折畳椅子の組み立てた状態における側面図である。
【符号の説明】
【００１９】
Ｘ、Ｙ、Ｚ  折畳椅子
１０、５０  ウエストバッグ本体
２１、２２、６１、６２  固定ベルト
３０、７０  座板
４０        折畳三脚
８０        折畳パイプ脚
１００      リュックサック本体
１１０      肩掛けベルト
１２０      座板
１３０      折畳パイプ脚
【図１】
2007054370.tif 000003
【図２】
2007054370.tif 000004
【図３】
2007054370.tif 000005
【図４】
2007054370.tif 000006
【図５】
2007054370.tif 000007
【図６】
2007054370.tif 000008
【図７】
2007054370.tif 000009
【図８】
2007054370.tif 000010
【図９】
2007054370.tif 000011
【図１０】
2007054370.tif 000012
【図１１】
2007054370.tif 000013
【図１２】
2007054370.tif 000014
【図１３】
2007054370.tif 000015
【図１４】
2007054370.tif 000016
【図１５】
2007054370.tif 000017
【図１６】
2007054370.tif 000018
【図１７】
2007054370.tif 000019
【図１８】
2007054370.tif 000020
【図１９】
2007054370.tif 000021
【手続補正書】
【提出日】平成17年12月14日(2005.12.14)
【手続補正１】
【補正対象書類名】特許請求の範囲
【補正対象項目名】全文
【補正方法】変更
【補正の内容】
【特許請求の範囲】
【請求項１】
使用者の腰部に固定するための固定ベルトを有するウエストバック本体と、
前記ウエストバック本体の一部に形成される座板と、
前記座板をほぼ水平に支持することが可能で、折り畳んで前記ウエストバック本体内に収納することができる脚部とを有し、
前記固定ベルトは、前記脚部により前記座板をほぼ水平に支持した状態において、着座した使用者の体に固定できるように形成される折畳椅子。
【請求項２】
前記ウエストバック本体には、前記脚部以外を収納する部分と区分けされた荷物を収納する部分が設けられる請求項１に記載の折畳椅子。
【請求項３】
使用者の背中に固定するための肩掛けベルトを有するリュックサック本体と、
前記リュックサック本体の一部に形成される座板と、
前記座板をほぼ水平に支持することが可能で、折り畳んで前記リュックサック本体内に収納することができる脚部とを有し、
前記肩掛けベルトは、前記脚部により前記座板を水平に支持した状態において、着座した使用者の体に固定できるように形成される折畳椅子。
【請求項４】
前記リュックサック本体には、前記脚部以外を収納する部分と区分けされた荷物を収納する部分が設けられる請求項３に記載の折畳椅子。
【手続補正２】
【補正対象書類名】明細書
【補正対象項目名】０００４
【補正方法】変更
【補正の内容】
【０００４】
上記課題を解決するために、本発明は次のような構成を有する。
請求項１に記載の発明は、使用者の腰部に固定するための固定ベルトを有するウエストバッグ本体と、前記ウエストバッグ本体の一部に形成される座板と、前記座板をほぼ水平に支持することが可能で、折り畳んで前記ウエストバッグ本体の一部を形成することができる脚部とを有し、前記固定ベルトは、前記脚部により前記座板を水平に支持した状態において、着座した使用者の体に固定できるように形成される折畳椅子である。なお、ウエストバックは大きさを問わず、一般にウエストポーチと称される大きさのものも含む。また、本願において、座板は強度もしくは構造を有するものであれば厚さや材質は問わず、例えば上記特許文献３に示すような薄いシート状のものに張力をかけて薄い板状体とするようなものも含まれる。また、この座板には、着座時に人が着座できる形態となるものであれば、折畳可能なものも含まれる。
請求項２に記載の発明は、前記折畳椅子において、前記ウエストバッグ本体には、前記脚部以外を収納する部分と区分けされた荷物を収納する部分が設けられるものである。
【手続補正３】
【補正対象書類名】明細書
【補正対象項目名】０００５
【補正方法】変更
【補正の内容】
【０００５】
請求項３に記載の発明は、使用者の背中に固定するための肩掛けベルトを有するリュックサック本体と、前記リュックサック本体の一部に形成される座板と、前記座板をほぼ水平に支持することが可能で、折り畳んで前記リュックサック本体の一部を形成することができる脚部とを有し、前記肩掛けベルトは、前記脚部により前記座板を水平に支持した状態において、着座した使用者の体に固定できるように形成される折畳椅子である。
請求項４に記載の発明は、請求項３に記載の折畳椅子において、前記リュックサック本体には、前記脚部以外を収納する部分と区分けされた荷物を収納する部分が設けられるものである。
【手続補正４】
【補正対象書類名】明細書
【補正対象項目名】０００６
【補正方法】変更
【補正の内容】
【０００６】
請求項１に記載の発明は、運搬の際にはウエストバッグとして腰に固定ベルトにより固定して使用し、椅子として使用する際には脚部により座板を水平に支持させて着座し、さらに固定ベルトで体に固定する。これにより、長時間、行列に並ぶ際に使用すると、椅子自体が体に固定されているので、行列が移動して使用者も移動しなければならない場合でも、使用者は立ち上がることで、手を使うことなく椅子を持ち上げることができ、そのまま歩いて移動すれば椅子も移動させることができ、移動した場所でしゃがむことで再び椅子に座ることができる。そして、体に椅子を固定するためにウエストバッグ本来の構成要素である固定ベルトを使用するので、構成が簡易になり重量も軽くすることができる。
請求項２に記載の発明は、前記ウエストバッグ本体には、前記脚部以外を収納する部分と区分けされた荷物を収納する部分が設けられるので、ウエストバッグとして椅子以外に必要な荷物を運搬することができる。
【手続補正５】
【補正対象書類名】明細書
【補正対象項目名】０００７
【補正方法】変更
【補正の内容】
【０００７】
請求項３に記載の発明は、運搬の際にはリュックサックとして背中に肩掛けベルトにより固定して使用し、椅子として使用する際には脚部により座板を水平に支持させて着座し、さらに肩掛けベルトで体に固定する。これにより、長時間、行列に並ぶ際に使用すると、椅子自体が体に固定されているので、行列が移動して使用者も移動しなければならない場合でも、使用者は立ち上がることで、手を使うことなく椅子を持ち上げることができ、そのまま歩いて移動すれば椅子も移動させることができ、移動した場所でしゃがむことで再び椅子に座ることができる。そして、体に椅子を固定するためにリュックサック本来の構成要素である肩掛けベルトを使用するので、構成が簡易になり重量も軽くすることができる。
請求項４に記載の発明は、前記リュックサック本体には、前記脚部以外を収納する部分と区分けされた荷物を収納する部分が設けられるので、リュックサックとして椅子以外に必要な荷物を運搬することができる。